(57)【要約】      （修正有）【課題】金属製の部材を使用せずに、よりシンプルな構成で、ご遺体を拝顔するための扉をスムースに回動させて開くことができる金具類及び金釘無しの扉付き棺を提供する。【解決手段】全ての構成要素が可燃性素材で形成されている金具類及び金釘無しの扉付き棺は、拝顔用の開口部１５１が設けられた蓋板１５０と軸部材３０とを含む。蓋板は、ガイド溝部１５２を含む。軸部材は、第１扉１０の開閉に連動して、第１扉を軸周りに回動させる軸３２を有する。軸は、第１扉が閉じた状態で開口部内の高さ位置Ｐ１に位置し、第１扉が開かれる際に、ガイド溝部に沿って軸部材がＺ方向に平行移動することにより、開口部内の位置Ｐ１から開口部よりも高い位置Ｐ２に移動する。【選択図】図４Ｃ
0003231089.tif 000002
【実用新案登録請求の範囲】
【請求項１】
全ての構成要素が可燃性素材で形成されている金具類及び金釘無し棺であって、
拝顔用開口部が設けられた蓋板と、
前記拝顔用開口部に設けられた扉と、
前記扉が開閉される際に、当該扉を軸中心に回動させる軸部材と、を備え、
前記蓋板は、前記扉が開閉される際に、前記軸と交差する方向でかつ前記蓋板の上面が構成する平面と交差する方向である第１方向に、前記軸部材を平行移動させるガイド部を含み、
前記軸は、
前記扉が閉じた状態で前記拝顔用開口部内の第１の位置に位置し、
前記扉が閉じた状態から前記扉が開かれる際に、前記ガイド部に沿って前記軸部材が前記第１方向に平行移動することにより、前記拝顔用開口部内から前記拝顔用開口部よりも前記第１方向の第２の位置に移動する、金具類及び金釘無しの扉付き棺。
【請求項２】
前記扉は、前記扉が開かれた状態で、前記蓋板の前記第１方向側の面に接触し、前記扉が閉じた状態で、前記拝顔用開口部内に配置される、請求項１に記載の金具類及び金釘無しの扉付き棺。
【請求項３】
前記ガイド部は、前記蓋板に設けられ、前記拝顔用開口部から前記軸に沿った方向に窪むとともに前記第１方向に延びるガイド溝部を含み、
前記軸部材は、前記扉の開閉に連動して、前記ガイド溝部の内側面に沿って平行移動する可動部材を、さらに含む、請求項１または２に記載の金具類及び金釘無しの扉付き棺。
【請求項４】
前記可動部材は、平面視において、矩形状に形成されており、
前記ガイド溝部は、平面視において、矩形状に形成されている、請求項３に記載の金具類及び金釘無しの扉付き棺。
【請求項５】
前記蓋板は、前記拝顔用開口部よりも前記第１方向とは反対方向への前記扉の移動を規制する規制部材を、さらに含み、
前記軸部材は、前記規制部材の前記第１方向とは反対方向側に配置され前記拝顔用開口部内に突出する突出部を、さらに含み、
前記突出部は、前記扉が開かれた状態で、前記規制部材に前記第１方向とは反対方向側から接触することにより、前記軸が前記第２の位置よりも前記第１方向にさらに移動するのを規制する、請求項１〜４のいずれか１項に記載の金具類及び金釘無しの扉付き棺。
【請求項６】
前記扉は、前記扉が閉じた状態で、前記規制部材の第１方向側の面に接触している、請求項５に記載の金具類及び金釘無しの扉付き棺。
【請求項７】
前記扉の面であって、前記扉が閉じた状態で前記拝顔用開口部の内側面に対向する面は、前記軸方向に見て、前記軸中心に円弧形状を有する、請求項１〜６のいずれか１項に記載の金具類及び金釘無しの扉付き棺。
【考案の詳細な説明】
【技術分野】
【０００１】
本考案は、金具類及び金釘無しの扉付き棺に関する。
【背景技術】
【０００２】
従来、遺体を納め火葬に付する棺は、主構造を木製とし可燃性材料によって箱体が製造されている。一般に、直方体に形成された棺は、２枚の側板、２枚の妻板、底板及び蓋板で構成されている。また、蓋板には、ご遺体を拝顔するための扉が設けられている。この扉は、例えば、観音開き扉（両開き扉）として構成されている。
【０００３】
従来、側板と妻板との接合部、底板と、側板又は妻板との接合部は、金釘やタッカー針などの金具類及び金釘等により固定されていた。また、蓋板には、金属製の蝶番により、ご遺体を拝顔するための扉が回動可能に固定されていた。このため、１本当たりの棺に使用される金属類及び金釘等は、金釘が４５本〜６０本、タッカー針が４５本〜５０本、ピンタッカーが８本〜１２本、飾り金具が６個〜１０個で、全体の平均重量は、１５０ｇ〜１７０ｇ程度にもなる。また、年間葬儀施行数を１３０万件とすると、火葬による年間の金属類及び金釘等の廃棄量は、１９５ｔ〜２２１ｔにもなる。
【０００４】
また、考案者は、全国１５０カ所以上の市役所と火葬場の訪問を重ねたところ、火葬場に於ける二酸化炭素、ダイオキシン群類の排出に関係する、納棺時の副葬品、ドライアイス、棺に使用される金属類及び金釘の火葬後の処理問題、火葬炉の損傷等の問題が共通していることが判明した。
【０００５】
さらに、火葬炉の内部を直視し、火葬中に金釘等が肉体や遺骨に刺さる悲惨な状況や火葬後に残る無数の金属類を目にして強く心を痛めた。火葬後に残った金属類は処理業者によって仕分け整理される。火葬場は金属類による配管の損傷にも大きな問題を抱えていた。
【０００６】
上述のように、多量の金具類及び金釘等の存在により、棺の火葬燃焼時に、金具類及び金釘等が飛散し、遺体や遺骨を傷つけることが遺体の尊厳上、問題となっている。また、火葬後に現場スタッフによる金具類及び金釘等を回収する手間が発生したり、最終的に残った灰などに金属類や金釘等が混ざり吸引パイプで吸い上げるときにパイプを傷つけメンテナンス等で時間と費用を要し、使用できない炉が生じたりするという問題もあった。
【０００７】
また、一般に、棺の製造において金具類及び金釘を用いた場合、棺の燃焼において、有害物質（例：ダイオキシン又は二酸化炭素）が発生する。この有害物質の発生は、火葬場を管轄する役所又は火葬場の現場担当者にとって解決すべき重要な課題となっている。
【０００８】
以上により、棺の製造時には、金具類及び金釘等をできるだけ使用しないことが好ましい。本考案の考案者は、土葬から火葬に代わり長い年月が経っているのにも関わらず、なぜ上記のような悲惨な事実が知られていないのかという多くの疑問を覚え、この実態を知ったからには何とかしなくてはいけないと考えた。そして、本考案の考案者は、環境改善をはじめ火葬業務の合理化とご遺体の尊厳や御霊の尊厳を守るため、従来型の棺の調査と金具類及び金釘を使わない棺の開発をはじめた。
【０００９】
また、本考案の考案者以外によっても、金具類及び金釘を使わない扉付き棺の開発が開始されている。例えば、特許文献１には、木製板箱体、木製板箱体に被せる木製蓋板、及び底板下部を構成する補強材からなる扉付き棺が開示されている。
【００１０】
上記特許文献１の棺の木製蓋板には、ご遺体を拝顔するための開口部と、当該開口部に嵌った扉とが設けられている。そして、この木製蓋板には、さらに、扉を回動させて開閉するために、金属製の部材（蝶番）を使用しない代わりに、開閉補助材と回転補助材とが設けられている。そして、開閉補助材には、軸が設けられており、当該軸は回転補助材の一端部の孔部を貫通して木製蓋板に固定されている。そして、回転補助材は、開閉補助材の軸を中心として回動する。また、扉には軸が設けられており、当該軸は回転補助材の他端部の孔部に嵌っている。これにより、扉は、回動補助部の孔部に嵌った軸を中心に回動する。すなわち、扉が開口部に嵌った状態から回動して開かれる際に、回転補助材が回動して扉の軸を開口部内から開口部外に移動させることができるので、扉の回動角度を９０度よりも大きくすることが可能となっている。
【先行技術文献】
【特許文献】
【００１１】
【特許文献１】特開２０２０−４４３０５号公報
【考案の概要】
【考案が解決しようとする課題】
【００１２】
しかしながら、上記特許文献１に記載の扉付き棺には、金属製の部材（蝶番）を使用しない代わりに、扉を回動させて開くために、開閉補助材と回転補助材とが設けられている。このため、上記特許文献１に記載の扉付き棺では、扉を回動させるための構造が複雑化してしまい、扉がスムースに開閉しにくくなる問題点があると考えられる。
【００１３】
本考案の一態様は、上記の問題点に鑑みてなされたものであり、その目的は、金属製の部材を使用せずに、よりシンプルな構成で、ご遺体を拝顔するための扉をスムースに回動させて開くことが可能な金具類及び金釘無しの扉付き棺を実現することにある。
【課題を解決するための手段】
【００１４】
上記の目的を達成するために、本考案の考案者は、実際に本考案の金具類及び金釘無しの扉付き棺を何度も試作を繰返して上記課題を解決した。すなわち、本考案の考案者は、鋭意研究の末、本考案の一態様に係る金具類及び金釘無しの扉付き棺として、
全ての構成要素が可燃性素材で形成されている金具類及び金釘無しの扉付き棺であって、
拝顔用開口部が設けられた蓋板と、
前記拝顔用開口部に設けられた扉と、
前記扉が開閉される際に、当該扉を軸中心に回動させる軸部材と、を備え、
前記蓋板は、前記扉が開閉される際に、前記軸と直交する方向でかつ前記蓋板の上面が構成する平面と交差する方向である第１方向に、前記軸部材を平行移動させるガイド部を含み、
前記軸は、
前記扉が閉じた状態で前記拝顔用開口部内の第１の位置に位置し、
前記扉が閉じた状態から前記扉が開かれる際に、前記ガイド部に沿って前記軸部材が前記第１方向に平行移動することにより、前記拝顔用開口部内から前記拝顔用開口部よりも前記第１方向の第２の位置に移動する、金具類及び金釘無しの扉付き棺を想到した。
【考案の効果】
【００１５】
本考案によれば、金属製の部材を使用せずに、よりシンプルな構成で、ご遺体を拝顔するための扉をスムースに回動させて開くことができる金具類及び金釘無しの扉付き棺を提供することができる。
【図面の簡単な説明】
【００１６】
【図１】図１は、一実施形態に係る棺の外観を示す斜視図である。
【図２】図２は、棺の一部の平面図である。
【図３】図３は、図２の部分Ａの拡大図である。
【図４Ａ】図４Ａは、第１扉及び第２扉が閉じた状態における図２の１０００−１０００線に沿った断面図である。
【図４Ｂ】図４Ａは、第１扉及び第２扉が開く途中の状態における棺の断面図である。
【図４Ｃ】図４Ｃは、第１扉及び第２扉が開かれた状態における棺の断面図（１）である。
【図５Ａ】図５Ａは、第１扉及び第２扉が閉じた状態における図２の１１００−１１００線に沿った断面図である。
【図５Ｂ】図５Ｂは、第１扉及び第２扉が開かれた状態における棺の断面図（２）である。
【図６】図６は、一実施形態の第１変形例による棺の一部の平面図である。
【図７】図７は、一実施形態の第２変形例による棺の一部の平面図である。
【図８】図８は、一実施形態の第３変形例による棺の一部の断面図である。
【図９】図９は、一実施形態の第４変形例による軸部材を説明するための図（１）である。
【図１０】図１０は、一実施形態の第４変形例による軸部材を説明するための図（２）である。
【図１１】図１１は、一実施形態の第５変形例による扉が閉じた状態の棺を説明するための図である。
【図１２】図１２は、一実施形態の第５変形例による扉が開いた状態の棺を説明するための図である。
【図１３】図１３は、一実施形態の第６変形例による軸部材を説明するための図である。
【考案を実施するための形態】
【００１７】
以下、図面を参照し、本考案の一実施形態を詳しく説明する。図中同一又は相当部分には同一符号を付してその説明は繰り返さない。なお、図示した構成における各部材の寸法及び部材間の寸法比率は、実際の寸法及び寸法比率を表すものではない。
【００１８】
［金具類及び金釘無しの扉付き棺の全体構造］
図１は、棺１００の外観を示す斜視図である。本実施形態の棺１００は、全ての構成要素が可燃性素材で形成されている。すなわち、本願明細書中において、留め具等の部材とは、可燃性を有する部材を意味する。例えば、留め具は、木ダボであってもよく、プラスチック釘、プラスチックタッカー、木釘、竹釘、ポリマー樹脂製ステープル・ピンネルであってもよい。また、留め具の材質としては、可燃性素材であれば特に限定されず、例えば、桐材、紙材等が挙げられる。また、可燃性の材料としては、上記の他、可燃性の非金属材料、可燃性のプラスチック材料や、可燃性のガラス材料（例えば、グラスファイバーなど）なども含まれる。また、貝殻のように石灰質で作られたようなものでも、留め具の材料として使用できる。
【００１９】
図１に示すように、棺１００は、棺１００の長辺側の側面を構成する２枚の側板１２０と、棺１００の短辺側の側面を構成する２枚の側板１３０、底板１４０と、蓋板１５０とを備える。なお、下記の説明において、「上」とは、図１のＺ方向を意味し、底板１４０から蓋板１５０に向かう方向を意味する。また、「下」とは、図１のＺ方向とは反対方向を意味し、蓋板１５０から底板１４０に向かう方向を意味する。
【００２０】
棺１００は、留め具も全て可燃性素材を用いて、側板１２０及び１３０と、底板１４０と、を互いに接合して壁面及び底面が構成される。ここで、留め具としての可燃性素材は、本実施形態では接着剤を用いるものとするが、その他に、例えば、ダボ、プラスチック釘、木釘、竹釘、プラスチックネジ、プラスチック蝶番及びプラスチックタッカー等を用いることができる。また、互いに接合される複数の側板１２０と側板１３０とを接合するためにも、上述の可燃性素材が用いられる。
【００２１】
また、側板１２０、側板１３０、底板１４０及び蓋板１５０のそれぞれの材質としては、可燃性素材であれば限定されず、例えば、桐材、檜材、樅材等が挙げられる。さらに、側板１２０、側板１３０及び蓋板１５０の外面においては、外観を向上させるための装飾が施されていてもよい。側板１２０、側板１３０、底板１４０及び蓋板１５０の接合に関する構造については、例えば、本願考案者により考案された特許第６４３５３９０号公報の記載の構造を採用することができる。
【００２２】
（蓋板の構成）
図２は、棺１００の平面図である。蓋板１５０は、側板１２０及び側板１３０上に載置される板部材である。蓋板１５０は、平面視において、矩形状に形成されている。図３は、図２の部分Ａの拡大図である。また、図４Ａ、図４Ｂ及び図４Ｃは、図２の１０００−１０００線に沿った断面図である。図５Ａ及び図５Ｂは、図２の１１００−１１００線に沿った断面図である。また、蓋板１５０には、第１扉１０及び第２扉２０が設けられている。図４Ａ及び図５Ａは、第１扉１０及び第２扉２０が閉じた状態の図であり、図４Ｃ及び図５Ｂは、第１扉１０及び第２扉２０が開いた状態の図である。また、図４Ｂは、第１扉１０及び第２扉２０が開放される途中の状態の図である。
【００２３】
〈開口部の構造〉
図２に示すように、蓋板１５０には、ご遺体を拝顔するための開口部１５１が形成されている。開口部１５１は、蓋板１５０において、棺１００の内部と外部とを貫通するように窓として形成されている。また、開口部１５１は、平面視において、矩形状に形成されている。
【００２４】
〈ガイド溝部の構造〉
図３に示すように、本実施形態では、蓋板１５０には、ガイド溝部１５２が形成されている。ガイド溝部１５２は、第１扉１０または第２扉２０が開閉される際に、軸３２の軸中心Ｃ１と直交する方向でかつ蓋板１５０が構成する平面（ＸＹ平面）と交差する方向であるＺ方向（第１方向）に、軸部材３０の可動部材３１を平行移動（スライド移動）させるための溝部である。図２に示すように、ガイド溝部１５２は、矩形状の開口部１５１の４隅（４つの角部）の各々に設けられている。なお、「平面（ＸＹ平面）と交差する方向」とは、ＸＹ平面に対する角度が０度よりも大きく９０度以下となる方向であり、本実施形態では、９０度である。
【００２５】
詳細には、ガイド溝部１５２は、開口部１５１から離れる方向でかつ軸３２の沿った方向（Ｙ方向）に窪んでおり、平面視において、矩形状を有する。例えば、ガイド溝部１５２には、ＹＺ平面に沿った一対の内側面１５２ａと、ＸＺ平面に沿った内側面１５２ｂとを含む。また、ガイド溝部１５２は、蓋板１５０をＺ方向に貫通するように形成されており、Ｚ方向に軸部材３０（可動部材３１）が平行移動可能に構成されている。例えば、平面視において矩形状の可動部材３１が、ガイド溝部１５２の内側面１５２ａ及び１５２ｂに摺動しながら、第１扉１０または第２扉２０の開閉に連動して、Ｚ方向に平行移動する。なお、「Ｚ方向に平行移動」とは、軸部材３０（可動部材３１）が、ガイド溝部１５２によりＸＹ平面上の移動が規制された状態で、Ｚ方向に移動することを意味する。また、本実施形態では、ガイド溝部１５２と軸部材３０とが共に平面視で矩形状に形成されているので、ガイド溝部１５２に対する軸部材３０の回動も規制されている。
【００２６】
（規制部材の構成）
図２に示すように、蓋板１５０の開口部１５１には、規制部材１５３が設けられている。例えば、開口部１５１のＹ方向の端部とＹ方向とは反対方向の端部との各々に、規制部材１５３が設けられている。例えば、図４Ａに示すように、規制部材１５３は、開口部１５１の下方部分（Ｚ方向の反対方向の部分）において、開口部１５１のＸ方向の端部からＸ方向の反対方向の端部に亘って形成されている。そして、図４Ａ及び図５Ａに示すように、規制部材１５３は、第１扉１０及び第２扉２０が閉じた状態で、第１扉１０の下面１３及び第２扉２０の下面２３に接触することにより、第１扉１０及び第２扉２０が棺１００の内部に落ち込むことを防止する機能を有する。また、規制部材１５３は、第１扉１０及び第２扉２０が開かれた状態で、後述する突出部３３が規制部材１５３に接触することにより、軸部材３０がＺ方向に移動するのを停止させる機能を有する。
【００２７】
（第１扉及び第２扉の構造）
図２に示すように、棺１００は、第１扉１０と第２扉２０とを含む。第１扉１０と第２扉２０とは、第１扉１０と第２扉２０とが閉じた状態で、開口部１５１内に配置されている。そして、第１扉１０は、左右方向の一方側（図２のＸ方向とは反対側）に配置されている。第２扉２０は、左右方向の他方側（図２のＸ方向側）に配置されている。そして、図４Ａ、図４Ｂ及び図４Ｃに示すように、第１扉１０と第２扉２０とは、左右方向の中心から開く、いわゆる観音開き（両開き）に構成されている。また、第１扉１０には、例えば、第１扉１０が開放される際にユーザにより把持される把持部１１が設けられている。把持部１１は、平面視において、一部が第２扉２０とオーバラップするように形成されており、第１扉１０の上面１２よりもＺ方向に突出するように形成されている。また、本実施形態では、第１扉１０の上面１２と蓋板１５０の上面１５０ａとが略面一に形成されているが、本開示はこれに限られない（面一でなくてもよい）。また、第２扉２０の上面２２と蓋板１５０の上面１５０ａとが略面一に形成されているが、本開示はこれに限られない（面一でなくてもよい）。また、第１扉１０が閉じた状態で、第１扉１０の開口部１５１の内側面に対向する面１４は、軸方向（Ｙ方向）に見て、軸３２（軸中心Ｃ１）を中心に円弧形状を有する。また、第２扉２０が閉じた状態で、第２扉２０の開口部１５１の内側面に対向する面２４は、軸方向（Ｙ方向）に見て、軸３２（軸中心Ｃ１）を中心に円弧形状を有する。具体的には、面１４及び２４は、それぞれ、軸方向（Ｙ方向）に見て、軸３２（軸中心Ｃ１）を中心に半円状の断面形状を有する。この面１４及び２４が、軸３２（軸中心Ｃ１）を中心に円弧形状（半円状）を有することにより、第１扉１０または第２扉２０が回動しても、面１４及び２４が開口部１５１の内側面に干渉しないので、第１扉１０及び第２扉２０をスムースに開閉することができる。
【００２８】
（軸部材の構成）
棺１００は、複数の軸部材３０を含む。軸部材３０は、可燃性部材（例えば、木材）からなり、図２に示すように、矩形状の開口部１５１の４隅（４つの角部）に、それぞれ設けられている。そして、軸部材３０は、それぞれ、ガイド溝部１５２内に配置されている。そして、図３に示すように、軸部材３０は、可動部材３１と軸３２とを含む。可動部材３１は、第１扉１０または第２扉２０の開閉に連動して、ガイド溝部１５２の内側面１５２ａ及び１５２ｂに沿って平行移動するように構成されている。軸３２は、可動部材３１に一体的に形成されている。例えば、軸３２は、可動部材３１に設けられた穴部３１ａに固定された（嵌っている）ダボである。なお、軸と可動部材とは、単一の部材から構成されていてもよく、この場合、可動部材には穴部が設けられずに、可動部材の表面から軸が第１扉１０または第２扉２０に向かって突出する。
【００２９】
〈可動部材の構成〉
可動部材３１は、平面視において、矩形状に形成されている。そして、図３及び図４Ａに示すように、可動部材３１は、例えば、直方体に形成されており、ガイド溝部１５２をＺ方向に貫通するようにガイド溝部１５２内に配置されている。そして、可動部材３１は、第１扉１０または第２扉２０の開閉に連動して、ガイド溝部１５２内でＺ方向またはＺ方向とは反対方向に平行移動する。そして、可動部材３１とガイド溝部１５２とが共に、矩形状に形成されているので、ガイド溝部１５２の内側面１５２ａ及び１５２ｂにより軸部材３０のＸＹ平面上の移動を規制することができる。この結果、軸３２が接続されている第１扉１０または第２扉２０がＸＹ平面上に移動する（ずれる）ことなく、第１扉１０または第２扉２０を開閉することができる。
【００３０】
〈軸の構成〉
図４Ａに示すように、軸３２は、後述する規制部材１５３よりもＺ方向側（上方側）に配置され、可動部材３１から開口部１５１の内部に向かって突出する柱状（例えば、円柱状）に形成されている。そして、軸３２は、第２扉２０（第１扉１０）の穴部２１内（図３参照）に一部が嵌っている。これにより、図４Ａ〜図４Ｃに示すように、第１扉１０及び第２扉２０は、それぞれ、軸中心Ｃ１周りに１８０度回動する。また、軸３２は、第１扉１０または第２扉２０の開閉に連動して、第１扉１０または第２扉２０を軸中心Ｃ１周りに回動させる。例えば、第１扉１０に隣接して配置されている軸部材３０の軸３２は、軸中心Ｃ１周りに第１扉１０を回動させる。第２扉２０に隣接して配置されている軸部材３０の軸３２は、軸中心Ｃ１周りに第２扉２０を回動させる。なお、「回動させる」とは、ユーザが第１扉１０または第２扉２０を保持して、第１扉１０または第２扉２０を開くことにより、第１扉１０または第２扉２０が軸中心Ｃ１周りに回動することを意味する。
【００３１】
〈突出部の構成〉
図５Ａ及び図５Ｂに示すように、軸部材３０は、突出部３３を含む。突出部３３は、可動部材３１から開口部１５１の内部に向かって突出する柱状に形成されている。突出部３３は、例えば、円柱状に形成されている。例えば、突出部３３は、軸部材３０の穴部に嵌ったダボとして構成されていてもよい。また、突出部３３は、規制部材１５３よりもＺ方向とは反対側（下方側）に配置されている。そして、図５Ｂに示すように、突出部３３は、第１扉１０または第２扉２０が開かれた状態で、蓋板１５０に固定された規制部材１５３に係合することにより、軸部材３０がＺ方向に蓋板１５０から脱離するのを防止する機能を有する。言い換えると、突出部３３は、第１扉１０または第２扉２０が開かれた状態で、規制部材１５３にＺ方向の反対側（下方側）から接触することにより、軸３２が高さ位置Ｐ２よりもＺ方向に移動するのを規制する。
【００３２】
上記の構成によれば、金属製の部材を使用しないで、蓋板１５０に設けられたガイド溝部１５２により、軸部材３０を開口部１５１よりも外側に平行移動させることができる。この結果、第１扉１０または第２扉２０が閉じた状態で、開口部１５１内に嵌っている場合でも、第１扉１０または第２扉２０を開く際には、軸部材３０を平行移動させて軸部材３０を開口部１５１よりも外側に出した状態で、第１扉１０または第２扉２０を軸３２（軸中心Ｃ１）周りに回動させて、第１扉１０または第２扉２０を開くことができる。例えば、第１扉１０または第２扉２０が開口部１５１に嵌った状態から第１扉１０または第２扉２０が蓋板１５０の上面１５０ａに接触する状態まで、第１扉１０または第２扉２０を１８０度回動させることができる。これにより、金属製の部材（蝶番）を使用せずに、軸部材３０を設けるだけで、ご遺体を拝顔するための第１扉１０または第２扉２０を回動させて開くことができる。この結果、扉を回動させるために、開閉補助材と回転補助材とを設ける場合に比べて、部品点数が増大するのを抑制することができる。
【００３３】
［動作の説明］
次に、図４Ａ〜図５Ｂを参照して、棺１００の第１扉１０、第２扉２０及び軸部材３０の動作について説明する。なお、第１扉１０及び第２扉２０の開閉に関する構成は、互いに同様であるので、図５Ａ及び図５Ｂでは、第２扉２０について図示し、第１扉１０についての図示を省略している。
【００３４】
（第１扉及び第２扉が開かれる動作）
図４Ａ及び図５Ａに示すように、第１扉１０及び第２扉２０が閉じた状態で、第１扉１０及び第２扉２０は、開口部１５１内に配置されている。また、図４Ａに示すように、第１扉１０及び第２扉２０が閉じた状態において、第１扉１０の下面１３及び第２扉２０の下面２３と、規制部材１５３とは接触している。
【００３５】
そして、図４Ｂに示すように、第１扉１０及び第２扉２０がユーザに把持され、Ｚ方向に向かって持ち上げられることにより、軸３２が高さ位置Ｐ１に位置する状態で、第１扉１０及び第２扉２０がそれぞれ軸中心Ｃ１周りに回動する。この時、この面１４及び２４が、軸３２（軸中心Ｃ１）を中心に円弧形状（半円状）を有しているので、第１扉１０または第２扉２０が回動しても、面１４及び２４が、開口部１５１の内側面と干渉せず、第１扉１０及び第２扉２０がスムースに回動する。
【００３６】
そして、さらに、第１扉１０及び第２扉２０がそれぞれ軸中心Ｃ１周りに回動することにより、図４Ｃ及び図５Ｂに示すように、第１扉１０及び第２扉２０が蓋板１５０の上面１５０ａに乗り、第１扉１０または第２扉２０に軸３２が接続された軸部材３０は、Ｚ方向に移動する。言い換えると、第１扉１０または第２扉２０が上面１５０ａに当接して軸部材３０が吊り上げられることにより、軸部材３０がＺ方向に移動する。この時、軸部材３０（可動部材３１）は、ガイド溝部１５２の内側面１５２ａ及び１５２ｂに沿って移動することにより、Ｚ方向に平行移動する。これにより、軸３２が高さ位置Ｐ１よりも高い高さ位置Ｐ２に位置する状態となる。
【００３７】
そして、第１扉１０及び第２扉２０が閉じた状態から、それぞれ、軸中心Ｃ１周りに１８０度回動されることにより、図４Ｃ及び図５Ｂに示すように、第１扉１０及び第２扉２０が開かれた状態で、第１扉１０の上面１２及び第２扉２０の上面２２が、蓋板１５０のＺ方向の面である上面１５０ａに接触する（対向する）。図５Ｂに示すように、軸部材３０の突出部３３が規制部材１５３に接触することにより、軸部材３０の軸３２が高さ位置Ｐ２に位置する状態からさらにＺ方向に移動するのが規制されている。これにより、第１扉１０と第２扉２０とが開かれた状態となる。
【００３８】
（第１扉及び第２扉が閉じられる動作）
図４Ｃ及び図５Ｂに示すように、第１扉１０及び第２扉２０が開かれた状態で、第１扉１０及び第２扉２０は、蓋板１５０の上面１５０ａに載置されている。
【００３９】
そして、図４Ｂに示すように、第１扉１０及び第２扉２０がユーザに把持され、Ｚ方向に向かって持ち上げられることにより、第１扉１０及び第２扉２０がそれぞれ軸中心Ｃ１周りに回動する。この時、この面１４及び２４が、軸３２（軸中心Ｃ１）を中心に円弧形状（半円状）を有しているので、第１扉１０または第２扉２０が回動しても、面１４及び２４が、開口部１５１の内側面と干渉せず、第１扉１０及び第２扉２０がスムースに回動する。そして、第１扉１０及び第２扉２０の各々の荷重によって、軸部材３０がガイド溝部１５２内でＺ方向とは反対方向に平行移動して、軸３２が高さ位置Ｐ２から高さ位置Ｐ１に移動する。
【００４０】
そして、さらに、第１扉１０及び第２扉２０がそれぞれ軸中心Ｃ１周りに回動することにより、図４Ａ及び図５Ａに示すように、第１扉１０及び第２扉２０が開口部１５１内に嵌り、第１扉１０の下面１３及び第２扉２０の下面２３が規制部材１５３に接触する。これにより、第１扉１０と第２扉２０とが閉じた状態となる。
【００４１】
上記のように、金属製の部材（蝶番）を使用せずに、ご遺体を拝顔するための第１扉１０または第２扉２０を１８０度スムースに回動させて開閉させることができる。
【００４２】
［変形例］
以上、上述した実施の形態は本考案を実施するための例示に過ぎない。よって、本考案は、上述した実施の形態に限定されることなく、その趣旨を逸脱しない範囲内で上述した実施の形態を適宜変形して実施することが可能である。
【００４３】
（１）例えば、上記実施形態では、平面視において、軸部材３０及びガイド溝部１５２を矩形状に形成する例を示したが、本開示はこれに限られない。例えば、図６に示す第１変形例による棺２００のように、軸部材２３０及びガイド溝部２５２を平面視において円形状を有するように形成してもよい。この場合、例えば、軸部材２３０の可動部材２３１が円柱状に形成される。
【００４４】
（２）また、上記実施形態では、ガイド溝部１５２に軸部材３０を配置する例を示したが、本開示はこれに限られない。例えば、図７に示す第２変形例による棺３００のように、貫通孔として形成されたガイド孔部３５２に軸部材３０が配置されてもよい。この場合、蓋板３５０には、開口部１５１とガイド孔部３５２とを接続する孔部３５２ａがさらに設けられる。そして、孔部３５２ａ内に軸３２が配置される。
【００４５】
（３）また、上記実施形態では、突出部３３を開口部１５１内に設けられた規制部材１５３に接触させることにより、軸部材３０の移動を規制する例を示したが、本開示はこれに限られない。例えば、図８に示す第３変形例による棺４００のように、軸部材４３０の突出部４３３は、開口部１５１側とは反対方向に可動部材３１から突出しており、当該突出部４３３と蓋板４５０の下面４５３とが接触することにより、軸部材４３０の移動が規制されるように構成されていてもよい。
【００４６】
（４）また、上記実施形態では、軸部材３０（可動部材３１）がＸＹ平面に直交する方向であるＺ方向に移動する例を示したが、本開示はこれに限られない。例えば、図９及び図１０に示す第４変形例による棺５００のように、軸部材５３０の可動部材５３１がＺ方向ではなく、ＸＹ平面に交差するＢ方向に平行移動するように、蓋板５５０のガイド溝部５５２が構成されていてもよい。
【００４７】
（５）また、上記実施形態では、軸部材３０から突出する軸３２が第１扉１０または第２扉２０の穴部２１に嵌る例を示したが、本開示はこれに限られない。例えば、第１扉または第２扉から軸が可動部材に向かって突出するとともに、当該軸が軸部材（可動部材）に設けられた孔部に嵌ってもよい。この場合、可動部材は軸受けとして機能して、軸周りに第１扉または第２扉が回動する。
【００４８】
（６）また、上記実施形態では、棺１００に、第１扉１０及び第２扉２０の２つの扉を設ける例を示したが、本開示はこれに限られない。例えば、棺に１つの扉を設けてもよいし、３つ以上の扉を設けてもよい。
【００４９】
（７）また、上記実施形態では、開口部１５１が平面視において矩形状を有するように蓋板を形成する例を示したが、本開示はこれに限られない。例えば、開口部が平面視において円形状を有するように蓋板を形成してもよい。
【００５０】
（８）また、上記実施形態では、突出部３３を円形状に形成する例を示したが、本開示はこれに限られない。例えば、突出部を四角柱状や三角柱状に形成してもよい。
【００５１】
（９）また、上記実施形態では、側板と底板との接合には、接着剤を用いても良いことを示した。しかし、接着剤以外に、例えば、ダボ、プラスチック釘、木釘、竹釘、プラスチックネジ、プラスチック蝶番及びプラスチックタッカー等の可燃性釘を用いて側板と底板との接合を強化することもできる。
【００５２】
（１０）また、上記実施形態では、各側板は、それぞれ一枚の面材で構成される例を示したが、側板の構成はこれに限定されず、側板の内部を中空に形成することも可能である。これにより、側板の軽量化を図ることができる。
【００５３】
（１１）また、上記実施形態では、第１扉１０、第２扉２０及び蓋板１５０の具体的な形状の例を示したが、この例に限られない。例えば、図１１及び図１２に示す第５変形例による棺６００のように、第１扉６１０、第２扉６２０及び蓋板６５０は、それぞれ、Ｚ方向の厚みが一定に形成されていてもよく、第１扉６１０には、上記実施形態の把持部１１が設けられていなくてもよい。
【００５４】
（１２）また、上記実施形態では、第１扉１０の面１４及び第２扉２０の面２４が円弧形状を有する例を示したが、この例に限られない。例えば、図１３に示す第６変形例による扉７２０のように、それぞれ、軸方向（Ｙ方向）に見て、面７２４が多角形状を有してもよい。
【００５５】
なお、本考案の金具類及び金釘無しの扉付き棺は、以下のように説明することもできる。
【００５６】
本考案の第１の構成に係る金具類及び金釘無しの扉付き棺は、全ての構成要素が可燃性素材で形成されている金具類及び金釘無しの扉付き棺であって、拝顔用開口部が設けられた蓋板と、拝顔用開口部に設けられた扉と、扉が開閉される際に、当該扉を軸中心に回動させる軸部材と、を備え、蓋板は、扉が開閉される際に、軸と交差する方向でかつ蓋板の上面が構成する平面と交差する方向である第１方向に、軸部材を平行移動させるガイド部を含み、軸は、扉が閉じた状態で拝顔用開口部内の第１の位置に位置し、扉が閉じた状態から扉が開かれる際に、ガイド部に沿って軸部材が第１方向に平行移動することにより、拝顔用開口部内から拝顔用開口部よりも第１方向の第２の位置に移動する（第１の構成）。
【００５７】
上記第１の構成によれば、金属製の部材を使用しないで、蓋板に設けられたガイド部により、軸部材を拝顔用開口部よりも外側（第１方向）に平行移動させることができる。この結果、扉が、閉じた状態では拝顔用開口部内に嵌っている場合でも、扉を開く際には、軸部材を平行移動させて軸部材を拝顔用開口部よりも外側に出した状態で、扉を軸回りに回動させて、扉を開くことができる。ここで、上記特許文献１の図３に示されているように従来の棺では、金属製の部材を使用しないで、扉（１３）を開くために、扉（１３）に隣接する位置に、開閉補助材（１４）が設けられている。開閉補助材（１４）には蓋板に形成された孔に嵌る一対のボス（ダボ）が設けられている。このボスは、２つの孔が形成された回転補助材（１５）の一方の孔を貫通している。また、他方の孔には、扉（１３）のボスが嵌っている。この構成により、回転補助材（１５）が開閉補助材（１４）に対して回動して、扉（１３）のボスの位置を拝顔用開口部内から拝顔用開口部外に移動可能となっている。しかしながら、上記のように、扉（１３）と開閉補助材（１４）と回転補助材（１５）とにより、棺の扉を開閉するための構成が複雑化している。これに対して、上記第１の構成によれば、軸部材を設けるだけで、扉を回動させることができるので、上記特許文献１の構成に比べて、よりシンプルな構成で扉を回動させることができ、シンプルな分、よりスムースに扉を回動させることができる。
【００５８】
第１の構成において、扉は、扉が開かれた状態で、蓋板の第１方向側の面に接触し、扉が閉じた状態で、拝顔用開口部内に配置されるように棺を構成してもよい（第２の構成）。
【００５９】
上記第２の構成によれば、扉が拝顔用開口部に嵌った状態から扉が蓋板の第１方向側の面に接触する状態まで、扉を１８０度スムースに回動させることができる。これにより、金属製の部材（蝶番）を使用せずに、ご遺体を拝顔するための扉を１８０度回動させて開くことができる。
【００６０】
第１または第２の構成において、ガイド部は、蓋板に設けられ、拝顔用開口部から軸部に沿った方向に窪むとともに第１方向に延びるガイド溝部を含んでいてもよく、軸部材は、扉の開閉に連動して、ガイド溝部の内側面に沿って平行移動する可動部材を、さらに含んでもよい（第３の構成）。
【００６１】
上記第３の構成によれば、拝顔用開口部から軸部に沿った方向に窪む溝部を蓋板に形成することにより、可動部材を平行移動させるガイド部を容易に形成することができる。
【００６２】
第３の構成において、可動部材は、平面視において、矩形状に形成されていてもよく、ガイド溝部は、平面視において、矩形状に形成されていてもよい（第４の構成）。
【００６３】
上記第４の構成によれば、軸部材とガイド溝部とが共に、矩形状に形成されているので、ガイド溝部の内側面により軸部材の平面上の移動を規制することができる。この結果、軸が接続されている扉が平面上に移動する（ずれる）ことなく、扉を開閉することができる。
【００６４】
第１〜第４のいずれか１つの構成において、蓋板は、拝顔用開口部よりも第１方向とは反対方向に扉が移動するのを規制する規制部材を、さらに含んでいてもよく、軸部材は、規制部材の第１方向とは反対方向側に配置され拝顔用開口部内に突出する突出部を、さらに含んでいてもよく、突出部は、扉が開かれた状態で、規制部材に第１方向とは反対方向側から接触することにより、軸が第２の位置よりも第１方向にさらに移動するのを規制するように構成されていてもよい（第５の構成）。
【００６５】
上記第５の構成によれば、突出部により軸部材が第１方向にさらに移動するのを停止させることができる。
【００６６】
第５の構成において、扉は、扉が閉じた状態で、規制部材の第１方向側の面に接触していてもよい（第６の構成）。
【００６７】
上記第６の構成によれば、軸部材用の規制部材が、扉が第１方向とは反対側（例えば、棺内部）に移動するのを規制するための規制部材を兼ねることができる。この結果、軸部材用の規制部材と、扉の移動を規制するための規制部材とを、別部材により構成する場合に比べて、部品点数を削減することができる。
【００６８】
第１〜６のいずれか１つの構成において、扉の面であって、扉が閉じた状態で拝顔用開口部の内側面に対向する面は、軸方向に見て、軸中心に円弧形状を有してもよい（第７の構成）。
【００６９】
上記第７の構成によれば、扉が軸中心に回動する際に、拝顔用開口部の内側面と、扉の面とが干渉するのを防止することができる。この結果、扉をスムースに回動させて開閉することができる。
【符号の説明】
【００７０】
１０…第１扉、１２…上面、１３…下面、１４，２４…面、２０…第２扉、２２…上面、２３…下面、３０，２３０，４３０，５３０…軸部材、３２…軸部、３３，４３３…突出部、１００，２００，３００，４００，５００…棺、１５０，３５０，４５０，５５０…蓋板、１５０ａ…上面、１５１…開口部、１５２，２５２，５２５…ガイド溝部、１５２ａ，１５２ｂ…内側面、１５３…規制部材、３５２…ガイド孔部、Ｃ１…軸、Ｐ１，Ｐ２…高さ位置
【図１】
0003231089.tif 000003
【図２】
0003231089.tif 000004
【図３】
0003231089.tif 000005
【図４Ａ】
0003231089.tif 000006
【図４Ｂ】
0003231089.tif 000007
【図４Ｃ】
0003231089.tif 000008
【図５Ａ】
0003231089.tif 000009
【図５Ｂ】
0003231089.tif 000010
【図６】
0003231089.tif 000011
【図７】
0003231089.tif 000012
【図８】
0003231089.tif 000013
【図９】
0003231089.tif 000014
【図１０】
0003231089.tif 000015
【図１１】
0003231089.tif 000016
【図１２】
0003231089.tif 000017
【図１３】
0003231089.tif 000018